(57)【特許請求の範囲】
【請求項１】
略円形の天板部と、該天板部の天板周縁部より下方に延びる円筒部と、該円筒部の内径方向に突出する複数の係止部と、該天板部の裏側にあるシール材とを備えた金属キャップが、外径方向に突出しながら周方向に延びる複数のガイド部が設けられた略円筒状の口部に対して取り付けられたとき、該ガイド部の下端部に該係止部が係止するとともに、該シール材が該天板周縁部により圧迫されて該口部の上端周縁部の全周にわたり圧接することで密封される金属キャップ付き容器であって、
前記金属キャップの前記天板部と前記円筒部とに外方に突出する一対の突出部が設けられ、前記天板周縁部が両突出部に当接する面に対して陥没している位置に形成されていることを特徴とする金属キャップ付き容器。
【発明の詳細な説明】
【０００１】
【発明の属する技術分野】
本発明は、炭酸飲料水等の内容物が中に詰められた上で金属キャップが取り付けられることにより密封される金属キャップ付き容器に関する。
【０００２】
【従来の技術】
炭酸飲料水等に利用される金属キャップ付き容器（以下、適宜「容器」という。）として、例えば、本願発明者の先願（特願平１１−１４７９１０号）に提案されたものがある。容器３１は、図５に示すように略円筒状で上方に開口した口部３２を有し、口部３２に金属キャップ３３が着脱されることで密封・開封される。口部３２にはその外径方向に突出しながら周方向に延びる複数のガイド部３４が設けられている。金属キャップ３３は、略円形の天板部３５と、天板周縁部３６から外径方向に拡がる突出部３７を経て下方に延びる円筒部３８と、円筒部３８の下端部から内径方向に突出する複数の係止部３９とより一体に形成されている。天板周縁部３６の裏側にはポリエチレン等の軟質素材よりなる略円環板状のシール材４０が設けられている。
【０００３】
口部３２に金属キャップ３３が取り付けられたとき、金属キャップ３３の複数の係止部３９が口部３２の複数のガイド部３４の下端部に係合する。また、シール材４０が天板周縁部３６により圧迫され、口部３２の上端周縁部に全周にわたり圧接することで容器３１が密封される。
【０００４】
しかし、非常に稀ではあるが、内容物である炭酸飲料水の温度上昇に伴い容器３１の内圧が通常よりも上昇した状態で、容器３１が落下する場合がある。この場合、金属キャップ３３が比較的外方に突出している天板周縁部３６において床面に衝突し、図６に点線で示すように天板周縁部３６が変形するおそれがある。そして、シール材４０があらぬ方向に圧迫されて口部３２から部分的に離反して隙間が生じ、この隙間から容器３１から炭酸が外部に漏れるおそれがある。なお、かかる問題は、容器３１が落下したときのみならず、容器３１の運搬時の振動等の原因により金属キャップ３３が壁面等にぶつかった場合にも生じる。そこで、内容物の品質維持の万全を期すという観点から、このような過酷な状況でも密封性を維持できるように改良された容器が望まれる。
【０００５】
【発明が解決しようとする課題】
かかる背景に鑑みて、本発明は落下等により金属キャップが床面等に衝突した場合でも密封状態をより確実に維持することのできる金属キャップ付き容器を提供することを解決課題とする。
【０００６】
【課題を解決するための手段】
本発明は、略円形の天板部と、該天板部の天板周縁部より下方に延びる円筒部と、該円筒部の内径方向に突出する複数の係止部と、該天板部の裏側にあるシール材とを備えた金属キャップが、外径方向に突出しながら周方向に延びる複数のガイド部が設けられた略円筒状の口部に対して取り付けられたとき、該ガイド部の下端部に該係止部が係止するとともに、該シール材が該天板周縁部により圧迫されて該口部の上端周縁部に全周にわたり圧接することで密封される金属キャップ付き容器の改良に関する。
【０００７】
前記課題を解決するための本発明の金属キャップ付き容器は、前記金属キャップの前記天板部と前記円筒部とに外方に突出する一対の突出部が設けられ、前記天板周縁部が両突出部に当接する面に対して陥没している位置に形成されていることを特徴とする。
【０００８】
前記構成の容器が密封状態で逆さまに床面に落下した場合、金属キャップの一対の突出部が床面に先に衝突し、天板周縁部が直接衝突しないため、一対の突出部に対して相対的に陥没している天板周縁部が落下の衝撃から保護される。従って、天板周縁部の変形が防止・抑制され、天板周縁部により容器口部の上端周縁部に圧接しているシール材が圧迫・破断される事態を防止することができる。このため、落下後も容器の密封性が維持され、内容物の容器外への侵出又は容器内への空気侵入による内容物の変質が確実に防止される。
【０００９】
【発明の実施の形態】
次に、本発明の金属キャップ付き容器の実施形態について図面を用いて説明する。図１は本発明の第１実施形態の容器の要部の説明的構成図であり、図２は本発明の第２実施形態の容器の要部の説明的構成図であり、図３は金属キャップ付き容器の落下試験の説明図であり、図４は本実施形態の容器の要部の落下試験前後の説明図である。
【００１０】
図１に示す本発明の第１実施形態の容器１は、上方に開口した略円筒状の口部２を有し、口部２に金属キャップ３が取り付けられることで密封・開封される。口部２にはその外径方向に突出しながら周方向に延びる複数のガイド部４が設けられている。金属キャップ３は、天板部５と、天板周縁部６から全周にわたり外径方向に突出部７を経て下方に延びる円筒部８と、円筒部８の下端部から内径方向に突出する複数の係止部９とが一体となって構成されている。また、天板部５には中央部を残して上方に突出する突出部１０が形成され、天板周縁部６は、一対の突出部７，１０に当接する面Ｐに対して相対的に陥没している。天板部５の裏側にはポリエチレン等の軟質部材よりなり、口部２を塞ぐシール材１１が設けられている。
【００１１】
口部２に金属キャップ３が取り付けられたとき、金属キャップ３の複数の係止部９が口部２の複数のガイド部４の下端部に係合する。また、シール材１１が天板周縁部６により圧迫され、口部２の上端周縁部に全周にわたり圧接することで容器１が密封される。
【００１２】
図２に示す本発明の第２実施形態の容器１は、天板部５が天板周縁部６を残して全体的に上方に突出されることで突出部１０が形成されている点で図１に示す第１実施形態の容器１と相違する。これ以外の点は両実施形態の容器１は同様の構成なので、同一の符号を使用するとともに説明を省略する。第２実施形態においても、天板周縁部６は、一対の突出部７、１０に当接する面ｐに対して相対的に陥没している。
【００１３】
ここで、前記実施形態の容器の密封性について、図３に示すように容器を約１５°の傾斜面ｘを有するブロックに対して約３０ｃｍの高さから逆さまの状態で落下させ、金属キャップをこの傾斜面ｘに衝突させて試験した結果について説明する。また、容器１には３．４％の炭酸水を５００ｍｌだけ詰め、炭酸水の温度を３７℃、容器１の内圧を４［ｋｇｆ／ｃｍ2 ］の状態とした。なお、容器１の耐圧力は８．２［ｋｇｆ／ｃｍ2 ］以上とされ、シール材として厚さ０．９ｍｍのポリエチレンシートを使用した。比較のため、図５に示した従来の容器３１についても同様の試験を行った。
【００１４】
図６を用いて前述したように従来の容器３１では、落下の際に天板周縁部３６が変形してシール材４０が圧迫されて密封性が維持されない。これに対し、第１実施形態の容器１を密封状態で逆さまに床面ｘに落下させたとき、図４に点線で示すように金属キャップ３の突出部１０が変形する。しかし、一対の突出部７、１０に当接する面ｐに対して陥没している天板周縁部６は変形せず、落下の衝撃から保護される。従って、天板周縁部６によりシール材１１があらぬ方向に圧迫され、容器２の上端周縁部から離反する事態を防止することができ、落下後も容器１の密封性が維持されていることがわかった。また、図示しないが、第２実施形態の容器１についても同様に天板周縁部６が落下の衝撃から保護され、落下後も密封性が維持されることが確かめられた。
【図面の簡単な説明】
【図１】本発明の第１実施形態の金属キャップ付き容器の要部の説明的構成図
【図２】本発明の第２実施形態の金属キャップ付き容器の要部の説明的構成図
【図３】金属キャップ付き容器の落下試験の説明図
【図４】本実施形態の金属キャップ付き容器の要部の落下試験前後の説明図
【図５】従来の金属キャップ付き容器の要部の説明的構成図
【図６】従来の金属キャップ付き容器の要部の落下試験前後の説明図
【符号の説明】
１‥金属キャップ付き容器、２‥口部、３‥金属キャップ、４‥ガイド部、５‥天板部、６‥天板周縁部、７‥突出部、８‥円筒部、９‥係止部、１０‥突出部、１１‥シール材
【図１】
0004443695.tif 000002
【図２】
0004443695.tif 000003
【図３】
0004443695.tif 000004
【図４】
0004443695.tif 000005
【図５】
0004443695.tif 000006
【図６】
0004443695.tif 000007